(57)【特許請求の範囲】
【請求項１】
本体と、この本体内に引き出し方向に移動可能に収められるスライド体とを有しており、
前記スライド体には、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、
前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段が設けられており、
前記ホルダー体におけるホルダー部と、前記本体への前記スライド体の収納状態において当該ホルダー体のホルダー部に接する当該本体の縦向きにある内面とには、前記付勢手段の付勢により相互に掛合し合う掛合手段が設けてあり、
この掛合手段が、前記本体に設けられる窓穴と、前記ホルダー体のホルダー部に設けられ、前記窓穴に入り込む掛合突部とよりなることを特徴とする容器保持装置。
【請求項２】
本体と、この本体内に引き出し方向に移動可能に収められるスライド体とを有しており、
前記スライド体には、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、
前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段が設けられており、
前記ホルダー体におけるホルダー部と、前記本体への前記スライド体の収納状態において当該ホルダー体のホルダー部に接する当該本体の縦向きにある内面とには、前記付勢手段の付勢により相互に掛合し合う掛合手段が設けてあり、
しかも、前記ホルダー体のホルダー部には、一端側又は両端側において回動可能に組み付けられ、かつ、当該ホルダー部の内側に少なくとも一部が突き出されるように倒伏向きに回動される補助ホルダー片が設けてあることを特徴とする容器保持装置。
【請求項３】
本体と、この本体内に引き出し方向に移動可能に収められるスライド体とを有しており、
前記スライド体には、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、
前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段が設けられており、
しかも、前記本体への前記スライド体の収納状態において当該本体の横向きにある内面側にある前記ホルダー体のホルダー部には、当該本体の内面に接して弾性変形される弾性接触手段が設けてあることを特徴とする容器保持装置。
【請求項４】
ホルダー体のホルダー部に、一端側又は両端側において回動可能に組み付けられ、かつ、当該ホルダー部の内側に少なくとも一部が突き出されるように倒伏向きに回動される補助ホルダー片が設けてあることを特徴とする請求項３記載の容器保持装置。
【発明の詳細な説明】
【０００１】
【発明の属する技術分野】
この発明は、自動車の室内などに設けられて、かかる自動車の室内などにおいて飲料などの容器を起立状態に保持するように用いられる容器保持装置の改良に関する。
【０００２】
【従来の技術】
自動車の室内などにおいて飲料などの容器を起立状態に保持するように用いられる容器保持装置として、自動車の内装パネルなどの内部などに内蔵状態に取り付けられるケース状の本体と、この本体内に引き出し可能に収められるスライド体とを有し、このスライド体に、このスライド体の引き出し状態において前記容器を起立状態に保持させる保持部を設けさせたものがある。
【０００３】
【発明が解決しようとする課題】
しかるに、この種の容器保持装置にあっては、第一に、前記スライド体が自動車などに加わる振動などにより前記本体内から簡単に抜け出さないようにしておくことが要請される。（収納状態でのスライド体の仮留めの要請）
【０００４】
また、第二に、前記本体内に前記スライド体をガタツキなく収納させることが要請される。（収納状態でのガタツキ防止の要請）
【０００５】
また、第三に、前記本体内への前記スライド体の完全収納位置を当該スライド体の押し込み操作にあたって認識できるような節度感をもたせることが要請される。（節度感付与の要請）
【０００６】
また、第四に、前記保持部において、外径の異なる種々の容器をそれぞれ安定に保持することが要請される。（異形容器安定保持の要請）
【０００７】
これらの各要請は、前記本体内に引き出し可能に収められる前記スライド体を有する従前の容器保持装置において、それぞれ様々な手法により確保されてきたものであるが、本出願人が今般検討するに至った、本体から引き出されるスライド体を有し、このスライド体に、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段を設けさせた容器保持装置においては、前記各要請を確保する具体的な手法の提供はなされていない。
【０００８】
そこで、この発明は、本体内からのスライド体の引き出しに伴って、横方向に開き出すように付勢された一対のホルダー体を有する容器保持装置において、前記各要請を、構造の複雑化を招くことなく、十分に満足させることを目的とする。
【０００９】
【課題を解決するための手段】
前記目的を達成するために、請求項１記載の発明にあっては、容器保持装置を、本体と、この本体内に引き出し方向に移動可能に収められるスライド体とを有しており、前記スライド体には、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段が設けられており、前記ホルダー体におけるホルダー部と、前記本体への前記スライド体の収納状態において当該ホルダー体のホルダー部に接する当該本体の縦向きにある内面とには、前記付勢手段の付勢により相互に掛合し合う掛合手段が設けてあり、該掛合手段が、前記本体に設けられる窓穴と、前記ホルダー体のホルダー部に設けられ、前記窓穴に入り込む掛合突部とよりなる構成のものとした。
【００１０】
かかる構成によれば、前記本体への前記スライド体の収納状態において、前記付勢手段による前記本体の縦向きにある内面への前記ホルダー体のホルダー部の押し付けを利用して、前記掛合手段を掛合させることができ、容器保持装置の構造を複雑にすることなく、前記収納状態でのスライド体の仮留め、すなわち、当該収納状態の維持をすることができる。
【００１１】
また、前記スライド体の前記本体内への完全収納位置を、前記掛合手段の掛合により認識させることができ、当該スライド体の移動操作に所望の節度感を付与させることができる。
【００１２】
また、前記目的を達成するために、請求項２記載の発明にあっては、容器保持装置を、本体と、この本体内に引き出し方向に移動可能に収められるスライド体とを有しており、前記スライド体には、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段が設けられており、前記ホルダー体におけるホルダー部と、前記本体への前記スライド体の収納状態において当該ホルダー体のホルダー部に接する当該本体の縦向きにある内面とには、前記付勢手段の付勢により相互に掛合し合う掛合手段が設けてあり、しかも、前記ホルダー体のホルダー部には、一端側又は両端側において回動可能に組み付けられ、かつ、当該ホルダー部の内側に少なくとも一部が突き出されるように倒伏向きに回動される補助ホルダー片が設けてある構成のものとした。
【００１３】
かかる構成によれば、前記本体への前記スライド体の収納状態において、前記付勢手段による前記本体の縦向きにある内面への前記ホルダー体のホルダー部の押し付けを利用して、前記掛合手段を掛合させることができ、容器保持装置の構造を複雑にすることなく、前記収納状態でのスライド体の仮留め、すなわち、当該収納状態の維持をすることができる。
【００１４】
また、前記スライド体の前記本体内への完全収納位置を、前記掛合手段の掛合により認識させることができ、当該スライド体の移動操作に所望の節度感を付与させることができる。
【００１５】
さらに、前記スライド体の前記本体からの引き出し状態において、前記補助ホルダー片をホルダー部の内側に突き出させる倒伏向きに回動させて、このホルダー部に収められる容器の径がやや小さくても、この補助ホルダー片の一部をかかる容器の外面に当接させることにより、容器の保持状態を損なわないようにすることができる。
【００１６】
前記掛合手段としては、前記付勢手段の付勢により、前記スライド体の押し込みに伴って所定の位置で掛合され、また、前記スライド体の引き出しにともなって掛合を解かせる、凹部と当該凹部に入り込む突部、穴と当該穴に入り込む突部、突部と当該突部を乗り越え可能な突部などを用いることができる。
【００１７】
さらに、前記目的を達成するために、請求項３記載の発明にあっては、容器保持装置を、本体と、この本体内に引き出し方向に移動可能に収められるスライド体とを有しており、前記スライド体には、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段が設けられており、しかも、前記本体への前記スライド体の収納状態において当該本体の横向きにある内面側にある前記ホルダー体のホルダー部には、当該本体の内面に接して弾性変形される弾性接触手段が設けてある構成のものとした。
【００１８】
かかる構成によれば、前記本体への前記スライド体の収納状態において、前記付勢手段による前記本体の横向きにある内面への前記弾性接触手段の押し付けを利用して、前記収納状態でのスライド体の仮留め、すなわち、当該収納状態の維持をすることができる。
【００１９】
また、かかる弾性接触手段を弾性変形させた状態での、この弾性接触手段の前記本体の横向きにある内面への押し当たりにより、前記スライド体を前記本体の上下方向に押し付ける力、前記ホルダー体を上下方向において当該スライド体に押し付ける力などを作用させることができ、前記スライド体の収納状態における当該スライド体ならびに一対のホルダー体のガタツキを防止することができる。
【００２０】
前記弾性接触手段は、前記ホルダー体のホルダー部における前記本体の横向きにある内面に向き合う側に、バネ、弾性変形可能なプラスチック片、ゴム片などを設けることにより、構成することができる。
【００２１】
また、かかる弾性接触手段を、前記ホルダー部に対し、このホルダー部における前記本体の横向きにある内面に向き合う側から中央部を突き出す向きから、この中央部を当該ホルダー部の内側に突き出させる向きまで、回動させることができるように、両端部を回動可能に組み付けた湾曲されたバネ状体として構成してあることもある。
【００２２】
このように構成した場合、前記スライド体の前記本体からの引き出し状態において、前記バネ状体の中央部をホルダー部の内側に突き出させる向きまで回動させて、このホルダー部に収められる容器の径がやや小さくても、このバネ状体の中央部をかかる容器の外面に当接させることにより、容器の保持状態を損なわないようにすることができる。
【００２３】
また、容器保持装置を、本体と、この本体内に引き出し方向に移動可能に収められるスライド体とを有しており、前記スライド体には、飲料等の容器を起立状態に内側に収めるホルダー部を当該スライド体の引き出し前方側にある一端側に備え、かつ、他端側で当該スライド体に横方向に回動可能に組み付けられた一対のホルダー体が備えられていると共に、前記一対のホルダー体を、前記本体からの前記スライド体の引き出し方向への移動操作に伴って、この一対のホルダー体における前記ホルダー部が設けられている側を互いに離し出す向きに当該一対のホルダー体を回動させるように付勢する付勢手段が設けられており、前記ホルダー体におけるホルダー部と、前記本体への前記スライド体の収納状態において当該ホルダー体のホルダー部に接する縦向きにある内面とには、前記付勢手段の付勢により相互に掛合し合う掛合手段が設けてあると共に、前記本体への前記スライド体の収納状態において当該本体の横向きにある内面側にある前記ホルダー体のホルダー部には、当該本体の内面に接して弾性変形される弾性接触手段が設けてある構成のものとしてあることもある。
【００２４】
かかる構成とした場合、前記本体内への前記スライド体の収納状態の維持、スライド体の押し込み操作にあたっての節度感の付与、収納状態でのガタツキ防止の各機能を、容器保持装置の構造を複雑にすることなく、得ることができる。
【００２５】
また、請求項４記載の発明にあっては、さらに、請求項３記載の容器保持装置におけるホルダー体のホルダー部に、一端側又は両端側において回動可能に組み付けられ、かつ、当該ホルダー部の内側に少なくとも一部が突き出されるように倒伏向きに回動される補助ホルダー片が設けてある構成とした。
【００２６】
かかる構成によれば、前記スライド体の前記本体からの引き出し状態において、前記補助ホルダー片をホルダー部の内側に突き出させる倒伏向きに回動させて、このホルダー部に収められる容器の径がやや小さくても、この補助ホルダー片の一部をかかる容器の外面に当接させることにより、容器の保持状態を損なわないようにすることができる。
【００２７】
なお、前記弾性接触手段とされるバネ状体を、かかる補助ホルダー片として構成してあることもある。
【００２８】
【発明の実施の形態】
以下、この発明の典型的な実施の形態の一つを、図１ないし図１１に基づいて説明する。
【００２９】
なお、ここで図１は、この実施の形態にかかる容器保持装置を構成する各部品を分離して斜視の状態として示している。また、図２は、本体１からスライド体２を引き出した状態を側方から見て、また、図３は、この引き出した状態を上方から見て、それぞれ示している。また、図４は、本体１内にスライド体２を収納した状態を側方から見て、また、図５は、この収納状態を上方から見て、また、図６および図７は、かかる収納状態において、容器保持装置を縦断面にして、それぞれ示している。
【００３０】
また、図８は、容器保持装置を構成する一対のホルダー体３、３が相互にその一部を重ね合わせた状態を、当該一対のホルダー体３、３とこの一対のホルダー体３、３をスライド体２に組み付ける連結部材４とを斜視の状態で示して表しており、また、図９は、これらを分離して斜視の状態で示している。また、図１０は、容器保持装置を構成する一対のホルダー体３、３が互いに離れ出した状態を、当該一対のホルダー体３、３とこの一対のホルダー体３、３をスライド体２に組み付ける連結部材４とを、連結部材４の上板体４０側から見て、また、図１１は、下板体４１側から見て、それぞれ示している。
【００３１】
この実施の形態にかかる容器保持装置は、本体１と、この本体１内に前後方向に移動操作可能に収められるスライド体２とを備えている。本体１の前側には、かかるスライド体２の引き出し開口１０が形成されている。また、かかるスライド体２の上面２０側には、このスライド体２の引き出し前方側にある一端側に円形枠状をなすホルダー部３０を有する一対のホルダー体３、３がそれぞれ、その他端側で当該スライド体２に対して横方向に回動可能に組み付けられている。かかる一対のホルダー体３、３は、ホルダー部３０を横向きに配し、かつ、前記スライド体２の左右側に並び設けられている。そして、この実施の形態にあっては、かかる一対のホルダー体３、３間に、当該一対のホルダー体３、３のホルダー部３０側を互いに離し出す向きに付勢する付勢手段５が備えられており、前記スライド体２を本体１内に収めた状態（以下、スライド体２の収納状態Ｓという。）において、前記一対のホルダー体３、３における前記ホルダー部３０がそれぞれ、前記本体１の縦向きにある内面１３ａに接し、互いのホルダー部３０の一部を上下に重ね合わせた状態（以下、ホルダー部３０の重ね合わせ状態Ｊという。）に保持されると共に、前記スライド体２を本体１内から引き出した状態（以下、スライド体２の引き出し状態Ｈという。）において、前記一対のホルダー体３、３における前記ホルダー部３０がそれぞれ、前記付勢手段５の付勢により、互いのホルダー部３０を重ね合わせないように横向きに離れ出し（以下、ホルダー部３０の離れ出し状態Ｆという。）、この離れ出し状態Ｆにおいてそれぞれホルダー部３０の内側に上方より飲料などの容器Ｙを起立状態に収め、保持するように用いられる。この実施の形態にあっては、かかる離れ出し状態Ｆにあるホルダー部３０の下方には前記スライド体２の上面２０が位置され、このように保持された容器Ｙの底面Ｙａはかかるスライド体２の上面２０により支持される。
【００３２】
したがって、この実施の形態にかかる容器保持装置は、例えば、自動車の室内におけるインストルメントパネル内や、センターコンソール内などに、前記本体１を前記引き出し開口１０を外方に臨ませた状態で設置させ、必要に応じて前記収納状態Ｓにあるスライド体２を前記引き出し状態Ｈとして、前記離れ出し状態Ｆにあるホルダー部３０により、かかる自動車の室内などにおいて、缶、瓶、カップ、紙パックなどの前記容器Ｙを起立状態に保持するように用いることができる。
【００３３】
そこで先ず、前記本体１およびスライド体２について説明する。
【００３４】
この実施の形態にあっては、かかる本体１は、横向きに長い長方形状の輪郭を有する前記引き出し開口１０における上縁に続く横向きの上板部１１と、この引き出し開口１０の下縁に続く横向きの下板部１２と、この引き出し開口１０の左右両縁にそれぞれ続く縦向きの側板部１３とを備えている。
【００３５】
一方、前記スライド体２は、前記本体１の一対の側板部１３、１３内面間に収まる大きさのトレイ部２１と、このトレイ部２１における引き出し前方側にあって前記収納状態Ｓにおいて前記本体１の引き出し開口１０を覆う前板部２２とを有している。本体１内へのかかるスライド体２の前記収納状態Ｓから当該スライド体２を引き出すにあたっては、かかる前板部２２の上縁部２２ａに指などを引っ掛けて、この引き出しをなせるようにしてある。また、かかるトレイ部２１の引き出し奥側にある引き出し方向に沿った両側部には、前記本体１の側板部１３に対向する案内板部２３が縦向きに起立、形成されている。
【００３６】
前記本体１の両側板部１３には、スライド体２の引き出し方向に沿った一対のリブ１４ａ、１４ａが間隔を開けてそれぞれ形成され、これによりかかる両側板部１３、１３にそれぞれ案内溝１４が形成されている。一方、前記スライド体２における前記案内板部２３における外側と、このスライド体２の前端側にある側部とには、このスライド体２の両側においてそれぞれ、前記本体１の案内溝１４に嵌り込むリブ２４が形成されている。この結果、この実施の形態にあっては、かかる本体１の案内溝１４にスライド体２のリブ２４を嵌め入れて、当該本体１内から引き出し操作可能に当該本体１とスライド体２とを組み合わせることができるものとされ、かかる引き出し操作または押し込み操作を規則的に行わせることができると共に、本体１の上下方向に向けたスライド体２のガタつきを防止することができる。
【００３７】
また、前記本体１の上板部１１には、前記引き出し開口１０における上縁との間に間隔を開けて、この上板部１１を左右に区分するように、当該本体１の前後方向に延びる割溝１５が形成してある。一方、前記スライド体２のおける引き出し奥側には、前記一対の案内板部２３、２３間において上方に向けて奥側板部２５が突き出し状に形成されており、この奥側板部２５の突き出し端に前記割溝１５に入り込む幅を備え、かつ、この突き出し端から当該スライド体２の引き出し前方側に向けて一体に突き出す抜け止め片２６が設けてあり、この抜け止め片２６は前記奥側板部２５との連接位置を中心に上下に弾性変形可能に構成してある。この結果、この実施の形態にあっては、前記本体１の引き出し開口１０から前記スライド体２を前記奥側板部２５の側から差し込むことに伴って、前記抜け止め片２６上面を本体１の引き出し開口１０の上縁に突き当てて当該抜け止め片２６を下方に撓め込ませ、この後、前記割溝１５にこの抜け止め片２６が入り込む位置で当該抜け止め片２６を弾性復帰させて当該抜け止め片２６が前記割溝１５から外方に突き出されるようにすることができ、その後は、この抜け止め片２６が当該割溝１５における前記引き出し開口１０側にある溝端１５ａに引っ掛かる位置より先に前記スライド体２が引き出されないように、当該スライド体２と本体１とをワンタッチで組み付けることができる。
【００３８】
なお、本体１の引き出し開口１０における上縁部の略中央から前記割溝１５に至るまでの間には、この本体１への前記スライド体２の組み付けにあたり、前記スライド体２の抜け止め片２６を通り抜けさせ易いように、上板部１１内面に凹所１６が形成してある。
【００３９】
次いで、前記一対のホルダー体３、３について説明する。
【００４０】
この実施の形態にあっては、かかる一対のホルダー体３、３は、いずれも略同じ大きさの円形枠状をなすホルダー部３０を一端側に有すると共に、このホルダー部３０の外側から一体に突き出し設けられる腕部３１を有し、この腕部３１における先端部に前記スライド体２側への回動組み付け部３２を有している。
【００４１】
この実施の形態にあっては、前記スライド体２の上面２０側であって、当該スライド体２の奥側において、前記一対の案内板部２３間に上下方向に向けて回動可能に組み付けられる、前記一対のホルダー体３、３の連結部材４が設けられている。かかる連結部材４は、前記ホルダー体３の腕部３１を収める間隔を開けて配された上下板体４０、４１と、前記スライド体２の案内板部２３に向き合う左右側板体４２、４２とを備えている。そして、この左右側板体４２、４２における奥端部外側に軸突部４３をそれぞれ有しており、前記スライド体２の案内板部２３に設けた軸穴２３ａにこの軸突部４３を収めて、前端部側を上下動可能するように当該スライド体２に組み付けられている。
【００４２】
また、かかる連結部材４の下板体４１の奥側には、この下板体４１の奥側側端において開放された欠切部４４が形成してある。この欠切部４４を挟んだ前記連結部材４の前後方向に沿った両側部にはそれぞれ、連結部材４の上下方向に亙る仕切壁４５が形成されていると共に、この一対の仕切壁間４５、４５には、この一対の仕切壁間４５、４５の向き合った側に設けた突部４５ａを両端側から差し入れて、ねじりコイルバネ６が組み付けられている。このねじりコイルバネ６の一端は、前記スライド体２の上面２０に当接され、かつ、その他端は前記連結部材４の上板体４０内面に当接されており、この当接状態においてかかるねじりコイルバネ６は上板体４０に当接されている他端側を上方に持ち上げる向きに付勢力を作用させるように弾性変形されている。
【００４３】
一方、前記一対のホルダー体３、３は、この一対のホルダー体３、３における前記ホルダー部３０を左右方向において並設させるように、前記連結部材４における前側から前記腕部３１を当該連結体を構成する上下板体４０、４１間にそれぞれ差し入れられた状態で、前記回動組み付け部３２をもって当該連結部材４に横方向に向けて回動可能に組み付けられている。この実施の形態にあっては、かかる回動組み付け部３２を、前記腕部３１に上下方向に向けて透設された軸穴３２ａと、前記連結部材４の前記上下板体４０、４１間にそれぞれ設けられ、しかも、当該腕部３１の軸穴３２ａに連通される軸穴３２ｃと、これら各軸穴３２ａ、３２ｃに通される軸体３２ｂとにより構成して、前記ホルダー体３の回動状態での組み付けをなしている。
【００４４】
また、この実施の形態にあっては、前記連結部材４における上下板体４０、４１間に、前記一対のホルダー体３、３をそのホルダー部３０を互いに離れ出す向きに回動させるように付勢させる付勢手段５を備えさせてある。
【００４５】
すなわち、この実施の形態にあっては、前記欠切部４４における前記連結部材４の左右方向に沿った縁部の略中程に下板体４１から上板体４０の側に向けて突き出す突部４６が形成されており、この突部４６を巻回部内に差し込んで、当該連結部材４に固定されたねじりコイルバネ５０により前記付勢手段５を構成している。かかるねじりコイルバネ５０は、前記一対のホルダー体３、３の離れ出し状態Ｆにおいても、その一端側を前記一対のホルダー体３、３の一方の腕部３１における他方の腕部３１に向き合った端部３１ａに当接させると共に、その他端側を前記一対のホルダー体３、３の他方の腕部３１における一方の腕部３１に向き合った端部３１ａに当接させた状態で、両端を開き出す向きに弾性変形されるように組み付けられている。なお、かかる一対のホルダー体３、３の離れ出し状態Ｆにおいては、当該ホルダー体３の腕部３１における外側端部が、この外側端部に向き合う前記連結部材４の左側板体４２又は右側板体４２の内面に突き当たって、この突き当たり位置より先への前記ねじりコイルバネ５０による離れ出しを阻止される構成としてある。
【００４６】
そして、この実施の形態にあっては、前記スライド体２の前記引き出し状態Ｈにおいて、かかる付勢手段５とされるねじりコイルバネ５０により前記一対のホルダー体３、３が前記離れ出し状態Ｆとされる一方、この引き出し状態Ｈから前記スライド体２を収納状態Ｓとなる向きに押し込み操作することに伴って、前記一対のホルダー体３、３のホルダー部３０における外側端面３０ａを前記本体１の引き出し開口１０縁およびこれに続く縦向きの側板部１３の内面に突き当てさせて、前記離れ出し状態Ｆにある一対のホルダー体３、３を前記付勢手段５の付勢に抗して前記重ね合わせ状態Ｊに移行させ、前記スライド体２共々、本体１内に収納させる構成としてある。
【００４７】
この実施の形態にあっては、前記重ね合わせ状態Ｊにおいて上下に重ね合わされるホルダー体３のホルダー部３０の重合部３３に、凹所３３ａを形成し、かかる重ね合わせ状態Ｊへの移行過程において、双方のホルダー部３０、３０が突き当たり合わないようにしてある。より具体的には、この実施の形態にあっては、図１０における下側に位置されるホルダー体３のホルダー部３０の前記重合部３３に当該ホルダー部３０の上側から下側に向けた前記凹所３３ａが形成してあり、また、図１０における上側に位置されるホルダー体３のホルダー部３０の前記重合部３３に当該ホルダー部３０の下側から上側に向けた前記凹所３３ａが形成してある。かかる凹所３３ａは前記ホルダー部３０の上下方向の厚さ寸法の略半分の深さに構成してあり、前記重ね合わせ状態Ｊにおいて、双方のホルダー体３、３のホルダー部３０の凹所面３３ｂが向き合うように構成してある。（図８）
【００４８】
また、この実施の形態にあっては、前記スライド体２に備えられた前記連結部材４が、前記バネ６により、上方に付勢された状態で組み付けられていることから、当該スライド体２の前記収納状態Ｓにあっては、前記一対のホルダー体３、３における当該スライド体２の引き出し前方側にある上側端面３０ｂが前記本体１の上板部１１内面に向けて押し上げられた状態とされる。
【００４９】
一方、この実施の形態にあっては、前記スライド体２の前記引き出し状態Ｈにあっては、前記連結部材４の上板体４０の外面が前記本体１の引き出し開口１０の上縁に突き当たる位置まで当該連結部材４が前記ねじりコイルバネ６の付勢により上方に向けて傾動される構成としてある。（図２）この結果、この実施の形態にあっては、前記スライド体２の前記引き出し状態Ｈにおいて、前記のように傾動される連結部材４により前記離れ出し状態Ｆにある一対のホルダー体３、３も上方に向けて傾動される。これにより、この実施の形態にあっては、前記スライド体２の引き出し前方に向かうに連れて前記ホルダー部３０が次第に当該スライド体２の上面２０から離れ出すようにすることができ、前記スライド体２の収納状態Ｓにおいて当該スライド体２の上面２０とホルダー体３におけるホルダー部３０の下端部とが接し合うようにしておいても、当該スライド体２の引き出し状態Ｈにおいて当該スライド体２の上面２０から離れた位置での起立状態に保持される容器Ｙの上下方向にある外面の支持をなすことができる。すなわち、この実施の形態にかかる容器保持装置によれば、前記スライド体２の収納状態Ｓでの上下方向の寸法を最小限に設定しながら、（図４）高さのある容器Ｙの起立状態での保持を安定的になすことができる。（図２）
【００５０】
なお、この実施の形態にあっては、前記スライド体２に、当該スライド体２の前記引き出し状態Ｈにおいて、前記のように上方に傾動され、かつ、前記離れ出し状態Ｆとなる一対のホルダー体３、３のホルダー部３０の直下位置それぞれに、保持される容器Ｙの底部Ｙａが収まる凹所２７が形成してある。
【００５１】
また、この実施の形態にあっては、前記スライド体２の前記収納状態Ｓにおいて、この収納状態Ｓから特に当該スライド体２を引き出し操作しない限り、前記本体１内からの当該スライド体２の引き出し方向への移動を生じさせないようにする掛合手段が、前記一対のホルダー体３、３におけるホルダー部３０と前記本体１における縦向きの内面１３ａとに設けてある。
【００５２】
この実施の形態にあっては、前記スライド体２の前記収納状態Ｓにおいて、前記本体１の縦向きにある両側板部１３と、この収納状態Ｓにおいて前記重ね合わせ状態Ｊとされる前記一対のホルダー体３、３のホルダー部３０における当該側板部１３に向けられた外側端面３０ａとに、かかる掛合手段が設けてある。
【００５３】
より具体的には、この実施の形態にあっては、前記本体１の縦向きにある両側板部１３における当該本体１の引き出し開口１０側にそれぞれ、方形状をなす窓穴１７を開設すると共に、前記スライド体２の前記収納状態Ｓにおいて当該窓穴１７位置に位置される前記ホルダー体３のホルダー部３０の外側端面３０ａに当該窓穴１７に入り込み、かつ、当該窓穴１７における前記引き出し開口１０側にある穴縁１７ａに引っ掛かる掛合面３４ａを備えた掛合突部３４を形成させて、前記掛合手段を構成している。かかるホルダー体３のホルダー部３０に形成された掛合突部３４は、頂部３４ｂを挟んで、当該ホルダー部３０の前端側に前記掛合面３４ａを傾斜させて有すると共に、この頂部３４ｂを挟んだ当該掛合面３４ａと反対の側に、案内面３４ｃを傾斜状に備えている。
【００５４】
この結果、この実施の形態にあっては、前記スライド体２を前記引き出し状態Ｈから収納状態Ｓとなるように前記本体１に対し押し込み操作することに伴って、前記一対のホルダー体３、３においてそれぞれ、そのホルダー部３０の特に前記掛合突部３４を当該本体１の縦向きにある側板部１３内面に突き当てさせて、前記付勢手段の付勢に抗して前記離れ出し状態Ｆから前記重ね合わせ状態Ｊに移行させることができ、この後、かかる掛合突部３４が前記窓穴１７に入り込む位置までスライド体２が押し込まれた段階で、前記付勢手段５の付勢により当該掛合突部３４を窓穴１７に入り込ませ、当該掛合突部３４と窓穴１７とを掛合させてスライド体２の引き出し方向への移動を規制させることができる。
【００５５】
また、このように引き出し方向への移動が規制された状態で前記収納状態Ｓとされる前記スライド体２を再び引き出し操作した場合には、前記窓穴１７における引き出し開口１０側にある穴縁１７ａに前記掛合突部３４の掛合面３４ａを突き当てて、この突き当てにより前記付勢手段５の付勢に抗して前記一対のホルダー体３、３をそのホルダー部３０を内向きにやや移動させるように回動させ、さらに引き出し操作することにより、前記窓穴１７から前記掛合突部３４を抜き出させて、掛合を解き、前記スライド体２を前記引き出し状態Ｈまで移動させることができる。かかる掛合突部３４における掛合面３４ａは前記のように傾斜されていることから、かかるスライド体２の引き出し操作に伴う前記窓穴１７からのかかる掛合突部３４の抜け出しはスムースになされる。
【００５６】
また、この実施の形態にあっては、前記スライド体２の前記収納状態Ｓにおいて、この収納状態Ｓの維持と、この収納状態Ｓにおける前記ホルダー体３ならびにスライド体２の前記本体１内でのガタツキを防止する弾性接触手段７が、前記一対のホルダー体３、３におけるホルダー部３０に設けてある。
【００５７】
この実施の形態にあっては、前記スライド体２の前記収納状態Ｓにおいて、この収納状態Ｓにおいて前記重ね合わせ状態Ｊとされる前記一対のホルダー体３、３のホルダー部３０における、前記本体１の横向きにある上板部１１に向けられた上端側にそれぞれ、かかる弾性接触手段７が設けてある。
【００５８】
より具体的には、この実施の形態にあっては、前記重ね合わせ状態Ｊにおける前記一対のホルダー体３、３の重ね合わされない部分、この実施の形態にあっては、このホルダー体３のホルダー部３０における前記凹所３３ａに隣り合い、かつ、他方のホルダー体３のホルダー部３０に向き合わない側に凹欠部３５を設けると共に、この凹欠部３５により形成される一対の段差面３５ａ、３５ａにそれぞれ開設させた小孔３５ｂに端部７１を差し入れ組み付けられると共に、中央部７２を上方に突き出させるように湾曲された金属製の線状バネ体７０により、かかる弾性接触手段７を構成させている。
【００５９】
かかる線状バネ体７０は、その上方に突き出された中央部７２の少なくとも一部を、前記凹欠部３５の両側にある前記ホルダー部３０の上側端面３０ｂよりも上方に位置させるように構成されている。
【００６０】
この結果、この実施の形態にあっては、前記スライド体２を前記引き出し状態Ｈから収納状態Ｓとなるように前記本体１に対し押し込み操作することに伴って、前記一対のホルダー体３、３においてそれぞれ、そのホルダー部３０の特に前記線状バネ体７０の中央部７２をかかる押し込み操作の過程で当該本体１の横向きにある内面１１ａ、すなわち、上板部１１内面に突き当てさせて、かかる一対のホルダー体３、３を上方に向けて移動させる向きに付勢させる前記連結部材４に組み付けられた前記ねじりコイルバネ６の付勢に抗して、当該一対のホルダー体３、３を下方に押し下げると共に、前記スライド体２の少なくとも収納状態Ｓにおいて前記線状バネ体７０の中央部７２を弾性変形させた状態で前記本体１の上板部１１内面に押し当てさせて、この収納状態Ｓからの前記スライド体２の引き出し方向への移動を規制させることができる。
【００６１】
また、かかる線状バネ体７０の中央部を弾性変形させた状態での前記本体１の上板部１１への押し当たりにより、前記スライド体２を前記本体１の下板部１２側に押し付ける力、前記ホルダー体３の腕部３１を前記連結部材４の下板体４１内面に押し当てる力などを作用させることができ、前記スライド体２の収納状態Ｓにおける当該スライド体２ならびに一対のホルダー体３、３のガタツキを防止することができる。
【００６２】
この実施の形態においては特に、前記線状バネ体７０により前記一対のホルダー体３、３に前記本体１の下板部１２側へ押し込む向きの力が作用されるようにしてあることに加えて、当該一対のホルダー体３、３に、前記連結部材４を上方に付勢させる前記ねじりコイルバネ６により、前記収納状態Ｓにおいて前記本体１の上板部１１内面に向けて押し付ける向きの力が作用されるようにしてあることから、かかる一対のホルダー体３、３およびスライド体２のガタツキの防止効果がより高められている。
【００６３】
また、この実施の形態にあっては、前記線状バネ体７０が、前記ホルダー部３０の凹欠部３５により形成された段差面３５ａに設けられた小孔３５ｂを中心として、上方に湾曲状に突き出された中央部７２をかかるホルダー部３０の内側に突き出させる向きに回動させることができるようにしてある。（図３、図１０）
【００６４】
この結果、この実施の形態にあっては、前記スライド体２の前記引き出し状態Ｈにおいて離れ出し状態Ｆとされる一対のホルダー体３、３のホルダー部３０に収められる容器Ｙの径がやや小さくても、前記のように回動される線状バネ体７０の中央部をかかる容器Ｙの外面に当接させて、容器Ｙの保持状態を損なわないようにすることができる。すなわち、この実施の形態にあっては、かかる線状バネ体７０が、径の異なる容器をそれぞれ安定的に保持し得る補助ホルダー片としても機能される構成としてある。
【００６５】
【発明の効果】
この発明によれば、本体内からのスライド体の引き出しに伴って、横方向に開き出すように付勢された一対のホルダー体を有する容器保持装置において、スライド体の本体内への収納状態の維持、収納状態でのガタツキ防止、および、当該スライド体の移動操作における節度感付与の各要請を、容器保持装置の構造の複雑化を招くことなく、十分に満足させることができる。
【図面の簡単な説明】
【図１】  容器保持装置の分解斜視図
【図２】  スライド体２の引き出し状態Ｈにおける側面図
【図３】  スライド体２の引き出し状態Ｈにおける平面図
【図４】  スライド体２の収納状態Ｓにおける側面図
【図５】  スライド体２の収納状態Ｓにおける平面図
【図６】  図４におけるＡ−Ａ線断面図
【図７】  図４におけるＢ−Ｂ線断面図
【図８】  重ね合わせ状態Ｊにある一対のホルダー体３、３と連結部材４の斜視図
【図９】  一対のホルダー体３、３と連結部材４の分解斜視図
【図１０】  離れ出し状態Ｆにある一対のホルダー体３、３と連結部材４の平面図
【図１１】  離れ出し状態Ｆにある一対のホルダー体３、３と連結部材４の底面図
【符号の説明】
１  本体
１１ａ  横向きにある内面
１３ａ  縦向きにある内面
２  スライド体
３  ホルダー体
３０  ホルダー部
５  付勢手段
Ｙ  容器
【図１】
0003652876.tif 000002
【図２】
0003652876.tif 000003
【図３】
0003652876.tif 000004
【図４】
0003652876.tif 000005
【図５】
0003652876.tif 000006
【図６】
0003652876.tif 000007
【図７】
0003652876.tif 000008
【図８】
0003652876.tif 000009
【図９】
0003652876.tif 000010
【図１０】
0003652876.tif 000011
【図１１】
0003652876.tif 000012